(57)【要約】  本発明は、位置合わせされたレーザービーム５を生成する少なくとも１つのレーザー装置４と、光放出３を生成する少なくとも１つのＬＥＤ装置と、レーザービーム５の光路内にあると共に、レーザービーム５を構造化されたレーザー光８に変換する少なくとも１つの光学要素６とを有する照明装置１であって、レーザー装置４、前記ＬＥＤ装置及び光学要素６の配置が、光放出３及びレーザー光８の重ね合せを可能にしている、照明装置１に関する。本発明は、更に、対応する照明の方法に関する。
2012503274.tif 000002
【特許請求の範囲】
【請求項１】
位置合わせされたレーザービームを生成する少なくとも１つのレーザー装置と、
光放出を生成するための少なくとも１つのＬＥＤ装置と、
前記レーザービームの光路内にあると共に、前記レーザービームを構造化されたレーザー光に変換する少なくとも１つの光学要素と、
を有する低輝度照明装置であって、前記レーザー装置、前記ＬＥＤ装置及び前記光学要素の配置は、前記光放出及び前記レーザー光の重ね合せを可能にしている、低輝度照明装置。
【請求項２】
前記光学要素が前記レーザービームのための光学導波路である、請求項１に記載の低輝度照明装置。
【請求項３】
前記光学要素は、結合導出構造及び／又は結合導出要素であって、それぞれ、前記レーザービームの一部の結合導出を可能にし、前記一部は、前記レーザー光を形成する、結合導出構造及び／又は結合導出要素を有する、請求項１又は２に記載の低輝度照明装置。
【請求項４】
前記光学導波路は、前記ＬＥＤ装置の発光表面に平行な平面内に配向されている、請求項２又は３に記載の低輝度照明装置。
【請求項５】
前記光学導波路が、平らな光学導波路である、請求項２乃至４の何れか一項に記載の低輝度照明装置。
【請求項６】
前記光学要素は、前記光学要素内の前記レーザービームの光路を延長するための少なくとも１つのリフレクタを有する、請求項１乃至５の何れか一項に記載の低輝度照明装置。
【請求項７】
前記光放出が前記光学要素に透照する、又は、前記レーザー光が前記ＬＥＤ装置に透照する、請求項１乃至６の何れか一項に記載の低輝度照明装置。
【請求項８】
前記レーザービームは、前記光放出の主要構成要素に対して垂直に配向されている、請求項１乃至７の何れか一項に記載の低輝度照明装置。
【請求項９】
前記レーザー光は、前記光放出の主要構成要素に対向して配向されている構成要素を示している、請求項１乃至８の何れか一項に記載の低輝度照明装置。
【請求項１０】
前記低輝度照明装置は、光学要素輪を更に有し、前記光学要素輪は、一回に前記光学要素の１つを前記レーザー装置の光路内に運ぶのに適している、請求項１乃至９の何れか一項に記載の低輝度照明装置。
【請求項１１】
前記ＬＥＤ装置が、ＯＬＥＤ装置である、請求項１乃至１０の何れか一項に記載の低輝度照明装置。
【請求項１２】
照明、特に、請求項１乃至１１の何れか一項に記載の低輝度照明装置を使用する方法であって、光放出を生成する少なくとも１つのＬＥＤ装置と、位置合わせされたレーザービームを生成する少なくとも１つのレーザー装置と、前記レーザービームの光路内にあると共に、前記レーザービームを構造化されたレーザー光に変換する少なくとも１つの光学要素とを有する低輝度照明装置を使用する方法において、前記レーザー光は、前記光放出に重ね合わせられる、方法。
【請求項１３】
前記ＬＥＤ装置が、ＯＬＥＤ装置である、請求項１２に記載の方法。
【請求項１４】
対象が照明され、前記対象の形状及び／又は前記対象の大きさが、対象依存の構造化された照明を生成するためにセンサによって検出される、請求項１２又は１３に記載の方法。
【請求項１５】
前記低輝度照明装置は、様々な動的な光の色及びパターンを生成するように電気的に駆動される少なくとも２つのＬＥＤ装置を有する、請求項１２乃至１４の何れか一項に記載の方法。
【発明の詳細な説明】
【技術分野】
【０００１】
本発明は、照明装置及び照明の方法に関する。
【背景技術】
【０００２】
ソリッドステート照明は、「オンデマンドカラー」を可能にしており、装飾照明から、店舗照明、雰囲気生成までの範囲にわたる多くの照明用途において導入されている。発光ダイオード及び有機発光ダイオード（ＯＬＥＤ）は、ますます更に影響力を有してきており、これらは、一般的な照明用途において使用されている。ＯＬＥＤ装置ベースの照明は、インテリジェント照明タイル、インテリジェント製品棚、アンビエントインテリジェント照明、看板（テキスト、数字等）及び装飾照明のような、人が前記光源内を直接的に覗き込むことができる用途において使用されるのに適している。多くの用途のために、構造化された照明効果を有する照明を生成することが、望ましい。この照明は、構造化された照明効果を有する静的な又は変化する照明であり得る。
【発明の概要】
【発明が解決しようとする課題】
【０００３】
本発明の目的は、構造化された照明効果を有する照明の照明装置及び対応する方法を提供することにある。
【０００４】
この目的は、位置合わせされたレーザービーム（aligned laser beam）を生成するための少なくとも１つのレーザー装置と、光放出を生成するための少なくとも１つのＬＥＤ装置と、前記レーザービームの光路内にあり、前記レーザービームを構造化されたレーザー光に変換する少なくとも１つの光学要素とを有する低輝度照明装置であって、前記レーザー装置、前記ＬＥＤ装置及び前記光学要素の配置が、前記光放出及び前記レーザー光の重ね合せを可能にしている、低輝度照明装置によって達成される。
【課題を解決するための手段】
【０００５】
本発明に関して、「低輝度照明装置」なる語は、人間の目に害を与える又は目を負傷させることなく、人間の目によって覗き込まれることができるような照明装置に関し、より好ましくは、覗き込まれるのに適応化すらされているような照明装置に関する。従って、本発明によるこのような低輝度照明装置のための例は、装飾的な照明、店舗照明、雰囲気生成のための照明及び蛍光文字のような看板照明である。これとは対照的に、プロジェクタ又はポインタとしてのこのような照明装置は、本発明に関する低輝度照明装置であると考慮されていない。これらは、人間の目によって覗き込まれることに適しているものでもないし適応化されているわけでもないからである。利用可能である光の全体的な量は、後者の照明装置に関してさえ少ないかもしれないが、これらの装置から発される光は、高い光輝度のために人間の目に直接的に入るべきではなく、従って、典型的には、例えば、これが反射され戻される銀色のスクリーン上に光を投射することによって、間接的な仕方において知覚される。このＬＥＤ装置は、好ましくは、ＬＥＤ構成要素（ＬＥＤ）を有するＬＥＤ光タイルである。
【０００６】
本発明の好ましい実施例によれば、前記ＬＥＤ装置は、ＯＬＥＤ装置である。
【０００７】
ＯＬＥＤの有利な点は、これらが薄く、光放出が大きい表面積からのものであることにある。従って、ＯＬＥＤ装置は、これらが簡単及び便利な仕方において大きい照明される領域を提供することができるので、本発明に特に適している。
【０００８】
ＬＥＤ装置によって得られることができる照明効果を向上させるために、前記構造化されたレーザー光は、前記ＬＥＤ装置によって生成される背景照明上に重ね合わされるパターンを生成する。レーザー装置は、極めてより高いエネルギ密度を有する光源であり、切換可能であり得る回折光学要素のような少なくとも１つの簡単な光学要素を使用している可視パターン及び形状を生成することに非常に適している。他方、ＬＥＤ装置、特にＯＬＥＤ装置は、鮮明な詳細を生成するために容易に使用されることができないが、光放出のより高い全体の出力を有する。この光学要素は、好ましくは、回折要素又は電子光学要素である。
【０００９】
本発明の好ましい実施例によれば、少なくとも１つのレーザー装置及び少なくとも１つのＯＬＥＤ装置を使用している混成照明装置であって、前記レーザー光によって生成される高い輝度パターンが、前記光放出によって生成される背景照明に重ね合わせされる、照明用途のために提供される。従って、構造化された照明効果を有する照明が、達成される。本発明の好ましい実施例において、前記ＬＥＤ装置は、色の重ね合せによって白色光放出を作ることができる異なる色の光を発する、一組のＬＥＤ構成要素（ＬＥＤ）（好ましくはＯＬＥＤ）を有している。例えば、前記ＯＬＥＤ装置は、５９０ｎｍと７５０ｎｍとの間の波長を有する赤色（Ｒ）光を発する第１のＯＬＥＤと、４９５ｎｍと５９０ｎｍの間の波長を有する緑色（Ｇ）光を発する第２のＯＬＥＤと、４５０ｎｍと４９５ｎｍとの間の波長を有する青色（Ｂ）光を発する第３のＯＬＥＤとを有するＲＧＢ ＯＬＥＤ装置である。代替的には、前記ＯＬＥＤ装置は、単色又は白色ＯＬＥＤ装置であり得る。
【００１０】
好ましくは、前記光学要素は、前記レーザービームのための光学導波路である。この光学導波路は、好ましくは、ファイバー導波路であり得る。既に上述されたように、ＯＬＥＤの有利な点の１つは、これらが薄く、光放出は大きい表面積からであることにある。レーザーが点光源であるという事実は、これらが更なる結合構造を使用することなく、前記ＯＬＥＤ装置上に配されることができる薄い導波路に容易に結合導入されることができることを意味する。
【００１１】
本発明の好ましい実施例によれば、前記光学要素は、各々が前記レーザービームの一部の結合導出を可能にする結合導出構造及び／又は結合導出要素であって、前記一部は、前記レーザー光を生成する、結合導出構造及び／又は結合導出要素を有する。好ましくは、これらの結合導出要素は、互いから所定の距離において設けられる。この一部の各ビームは、前記対応する結合導出構造及び／又は結合導出要素から開始する。結合導出構造は、前記光学要素の構造であり、前記構造を備える前記光学要素は、一片の光学要素である。結合導出要素及び前記光学要素は、複数片の光学要素として形成される。
【００１２】
一般に、前記光学導波路の範囲内のレーザービームの経路は、様々な種類の配向を有することができる。好ましくは、前記光学導波路は、前記ＯＬＥＤ装置の発光表面に実質的に平行である平面内で配向される。このレーザービームは、実質的にこの平面内を通る。特に、前記光学導波路及び前記ＯＬＥＤ装置は、互いの上に配され、階層構造を造る。好ましくは、前記光学導波路は、平らな光学導波路である。
【００１３】
前記光学要素には、前記光学要素内の前記レーザービームの光路を延長する少なくとも１つのリフレクタを有している。前記光学要素は、特に、前記外結合構造及び／又は外結合要素と前記リフレクタとを有する前記平らな光学導波路である。
【００１４】
本発明の好ましい実施例によれば、前記光放出が前記光学要素に透照する（trans-illuminate）又は前記レーザー光が前記ＬＥＤ装置に透照する。前記光学要素は、少なくとも部分的に透明な光学要素である、又は前記ＬＥＤ装置は、少なくとも部分的に透明なＬＥＤ装置である。
【００１５】
一般に、前記レーザービームの経路は、前記光放出に関して様々な配向を有することができる。特に、前記レーザービームは、前記光放出の主要構成要素に対して垂直に配向されている。
【００１６】
本発明の他の好ましい実施例において、前記導波路は、少なくとも１つのＬＥＤ構成要素を有しており、前記少なくとも１つのＬＥＤ構成要素は、好ましくは、前記導波路の縁に配されている。前記ＬＥＤ構成要素は、均一な低輝度光を発し、この光は、前記導波路から結合導出される。前記ＬＥＤ構成要素を有する導波路は、好ましくは、前記ＬＥＤ光タイルである。
【００１７】
本発明の他の好ましい実施例によれば、前記ＬＥＤ構成要素は、ＬＥＤアレイを形成する。好ましくは、拡散器が、低輝度光分布を得るために前記導波路上に配される。
【００１８】
本発明の他の好ましい実施例において、前記ＬＥＤ光タイルは、発光層（特に、蛍光体層）によって覆われている。前記ＬＥＤ光タイルは、所謂、遠隔蛍光体構成をとっている。前記ＬＥＤ構成要素は、好ましくは、青色光を発しているＬＥＤである。前記蛍光体層は、前記青色光を部分的に又は全体的に他の色の光に変換するために、前記ＬＥＤ構成要素の上方に位置されている。
【００１９】
本発明の他の好ましい実施例によれば、ＯＬＥＤ装置は、上述されたＬＥＤ光タイルのうちの１枚と組み合わされている。例えば、透明なＯＬＥＤ装置が、これら又は透明なＯＬＥＤ装置の上方に配される拡散板を有する前記ＬＥＤ光タイル上に位置されており、ＬＥＤ構成要素は、側部から前記ＯＬＥＤ装置の基板内に結合導入される。本発明の上述の実施例において、前記ＬＥＤ構成要素は、均一な色を生成するための仕方において駆動されることができるが、動的な効果を示すこともできるパターンを生成することもできる。
【００２０】
好ましくは、前記光放出は、レーザー光の主要構成要素に対して対向するように配向されている構成要素を示している。この場合、前記レーザー光は、前記ＬＥＤ装置を照明している。
【００２１】
前記照明装置は、一回に前記光学要素のうちの１つを前記レーザー装置の光路内に運ぶ（bring）のに適している光学要素輪を更に有することができる。
【００２２】
本発明は、更に、照明の方法であって、特に、光放出を生成する少なくとも１つのＬＥＤ装置と、位置合わせされたレーザービームを生成する少なくとも１つのレーザー装置と、前記レーザービームの光路内にあり、前記レーザービームを構造化されたレーザー光に変換する少なくとも１つの光学要素とを備える上述の照明装置であって、前記レーザー光は、前記光放出に重ねあわせられる、照明装置の１つを使用している、照明の方法に関する。前記ＬＥＤ装置の光放出によって得られることができる照明効果を向上するために、前記構造化されたレーザー光は、前記ＬＥＤ装置によって生成される背景照明に重ね合わせられるパターンを生成する。
【００２３】
前記ＬＥＤ装置は、好ましくは、ＯＬＥＤ装置である。前記照明は、構造化された照明効果による対象の静的又は変化する照明であることができる。好ましくは、異なる光学要素は、前記レーザービームの光路内に、機械的に移動される。これらの様々な光学要素は、様々な構造化されたパターンを生成する。
【００２４】
動的な照明効果は、好ましくは、アクティブビーム形状を生成するための液晶に基づいて、好ましくは、少なくとも１つの駆動可能な光学要素を駆動する又は切り替えることによって生成される。本発明の好ましい実施例によれば、対象が照明され、前記対象の形状及び／又は前記対象の大きさが、対象依存の構造化された照明を生成するためのセンサによって検出される。この種類の対象依存の構造化された照明は、好ましくは、前記少なくとも１つの光学要素を駆動する及び／又は前記様々な光学要素を移動させるる照明制御システムによって制御される。この照明装置は、異なる動的な光の色及びパターンを生成するように電気的に駆動される少なくとも２つのＬＥＤ装置を有する。
【００２５】
本発明のこれら及び他の見地は、以下に記載される実施例を参照して、明らかになり、説明されるであろう。
【図面の簡単な説明】
【００２６】
【図１Ａ】本発明の第１実施例による照明装置の垂直断面図を示している。
【図１Ｂ】図１Ａの照明装置の上面図を示している。
【図２Ａ】本発明の第２実施例による照明装置の上面図を示している。
【図２Ｂ】ＬＥＤが導波路の縁に配されている導波路を示している。
【図２Ｃ】拡散器が上部に配されるＬＥＤ構成要素を示している。
【図２Ｄ】ＬＥＤ光タイルを示しており、蛍光層を有する、所謂、遠隔蛍光体構成をとっており、青色ＬＥＤを有する前記ＬＥＤ光タイルより上方に配されている。
【図２Ｅ】拡散器を備えるＬＥＤの上に配される透明なＯＬＥＤを示している。
【図２Ｆ】ＬＥＤ光が側部から結合導入される導波路の上の透明なＯＬＥＤ装置を示している。
【図３】本発明の第３実施例による照明装置の垂直断面図を示している。
【図４】本発明の第４の実施例による照明装置の垂直断面図を示している。
【図５】本発明の第５の実施例による照明装置の上面図を示している。
【図６】本発明の第６の実施例による照明装置の側面図を示している。
【図７】本発明の第７の実施例による照明装置の垂直断面図を示している。
【図８】本発明の第８の実施例による照明装置の垂直断面図を示している。
【図９】本発明の第９の実施例による照明装置の垂直断面図を示している。
【図１０】本発明の第１０の実施例による一群の可動光学要素を備える照明装置の縦断面図と、これらの要素の上面図とを示している。
【図１１】本発明の第１１の実施例による照明装置の垂直断面図を示している。
【図１２】本発明の第１２の実施例による照明装置の垂直断面図を示している。
【図１３】本発明の第１３の実施例による照明装置の垂直断面図を示している。
【図１４】本発明の第１４の実施例による照明装置の垂直断面図を示している。
【発明を実施するための形態】
【００２７】
図１から、本発明の好ましい実施例による照明装置１の全体的な配置及び動作原理が、分かる。照明装置１は、光放出３を生成するためのＯＬＥＤ装置２と、位置合わせされたレーザービーム５を生成するためのレーザー装置４と、レーザービーム５の光路７内にあり、レーザービーム５を構造化され拡張されたレーザー光８に変換する光学要素６とを有する。光学要素６は、平面１０内で配向されるレーザービーム５のための光学導波路９である。この平面１０は、ＯＬＥＤ装置２の発光表面１１に平行である。光学導波路９は、平らな光学導波路１２として形成される。光学導波路９は、下面に配されている離間されて配されている結合導出構造１３を有している。各構造１３は、レーザービーム５の一部１４の結合導出を可能にする。一部１４の和が、レーザー光８を創る。導波路９の下に配されているＯＬＥＤ装置２の光放出３は、光学導波路９を透照し、導波路９より上方のレーザー光８は、ＯＬＥＤ装置２の光放出３に重ね合わされる。
【００２８】
結合導出構造１３は、特定の点において、導波路９からのレーザー光８の一部を漏出させるための構造である。結合導出構造１３は、例えば、光が他の波長に変換される蛍光体のような、波長変換材料であっても良い。図１Ｂは、図１Ａの照明装置１の上面図を示している。平らな光学導波路１２は、平らな光学導波路１２の範囲内のレーザービーム５の光路７を延長する２つのリフレクタ１５を有している。
【００２９】
平らな光学導波路１２を使用する代わりに、図２Ａに示されている光ファイバー導波路１６のような、他の種類の光学導波路９を使用することも可能である。前記導波路構造を、図３に示されているような透明なＯＬＥＤ装置１７と組み合わせることも、可能である。
【００３０】
図１Ａ、１Ｂ及び２Ａにおいて、ＯＬＥＤ装置２を使用する代わりに、図２Ｂ乃至２Ｆに示されている低輝度のＬＥＤ装置２'（ＬＥＤ光タイル）を使用することも可能である。
【００３１】
図２Ｂに示されている導波路９は、少なくとも１つのＬＥＤ構成要素２８を有しており、少なくとも１つのＬＥＤ構成要素２８は、好ましくは、前記導波路の縁に位置されている。ＬＥＤ構成要素２８は、導波路９から結合導出される均一な低輝度の光を発している。
【００３２】
図２Ｃにおいて、ＬＥＤ構成要素２８は、ＬＥＤアレイを形成している。拡散器２９は、低輝度の光分布を得るために、導波路９の上に配される。
【００３３】
図２Ｄに示されているように、ＬＥＤ光タイル（ＬＥＤ装置２'）は、発光層３０（特に、蛍光体層）によって覆われている。前記ＬＥＤ光タイルは、所謂、遠隔蛍光体構成をとっている。ＬＥＤ構成要素２８は、好ましくは、青色光を発するＬＥＤである。前記蛍光体層は、前記青色光を部分的に又は全体的に他の色の光に変換するために、ＬＥＤ構成要素２８より上方に配されている。
【００３４】
図２Ｅにおいて、透明なＯＬＥＤ装置１７は、上述したＬＥＤ光タイルのうちの１つと組み合わせられている。例えば、透明なＯＬＥＤ装置１７は、これらの上方に配されている拡散器２９を備えているＬＥＤ光タイル、又はＬＥＤ構成要素２８が側部からＯＬＥＤ装置１７の基板内に結合導入されている透明なＯＬＥＤ装置１７上に配されている。
【００３５】
別個の光学導波路９を使用する代わりに、図４に示されているような導波路９として、ＯＬＥＤ装置２の基板１８を使用することも可能である。この実施例において、照明装置１の構成が使用されており、結合導出構造１３は、光学導波路９（基板１８）上に配される。しかしながら、他の構成も可能である。光学導波路９及びＯＬＥＤ装置２は、互いの上に配され、層状構造を創ることができる。
【００３６】
図５において、他の実施例が、示されている。ここで、ＯＬＥＤ装置２の活性層１９は、この層１９から追加の光放出３のための前記レーザー装置４によって励起される。このような放出３は、レーザー光８上に重ね合わされるようになることもできる。
【００３７】
ＯＬＥＤ装置２は、レーザーパターンがこの上へ投射されるスクリーン２０として、使用されることもできる。この投射は、上方又は後方からのものであり得る。図６は、レーザー光８が上方からＯＬＥＤ装置２（ＯＬＥＤタイル）上に投射される例を示している。レーザー光８は、レーザー装置４のレーザービーム５と回折要素２１である光学要素６とによって生成される。この照明装置は、構造化された照明効果をによって対象２２を照明する。レーザー光８は、このＬＥＤの光放出の主要な構成要素に対向して配向されている構成要素を示している。
【００３８】
上述したように、前記投射された画像は、レーザー装置４の放出色を表すことができる。しかしながら、ＯＬＥＤ装置２は、レーザービーム５及び／又はレーザー光８を他の色に変換するための発光層を備えていても良い。同様に、レーザービーム５及び／又はレーザー光８は、ＯＬＥＤ装置２の活性層１９を励起させることができるのみである。
【００３９】
上述の例に加えて、ＯＬＥＤ装置２は、タッチレーザ光８の点が図７に示されているように結合導出されることができるタッチスクリーン２３を備えていても良い。
【００４０】
図６及び７において、ＯＬＥＤ装置２を使用することなく、図２Ｃ乃至２Ｆに示されている低輝度ＬＥＤ光タイル２'を使用することも、可能である。
【００４１】
上述の例に加えて、前記ＯＬＥＤ装置又は（ＬＥＤ）光導波路は、非平面であっても良い。例えば、ＯＬＥＤ装置又は（ＬＥＤ）光導波路は、湾曲されていても良い。
【００４２】
本発明の上述の実施例において、人が覗き込むことができる低輝度の光源が、記載されている。表面照明のための高い輝度を備える光源であって、光がＯＬＥＤ及びＬＥＤから生じている光に重ね合わされる、光源を使用することも可能である。
【００４３】
図８において、ＬＥＤ装置２'は、色の重ね合せによって白色光の放出を作ることができる異なる色の光を発している一組の３つのＬＥＤ構成要素（ＲＧＢ ＬＥＤ）を有するＬＥＤ装置２'である。これらの３つのＬＥＤ構成要素は、ＬＥＤ装置２'からの均一な照明のためのコリメータ２５を有する混合チャンバ２４内に配されている。この場合、単一又は複数のレーザー装置４は、所望のパターン又は他の構造を生じるための回折要素２１と組み合わされて使用されることができる。同様に、図９に模式的に示されているようなレーザー装置４と組み合わされた複数の領域を照明するための複数のＲＧＢ ＬＥＤ装置ユニットを生成することもできる。
【００４４】
図１０に示されている照明装置１は、一回に光学要素６のうちの１つをレーザー装置４の光路７内に運ぶのに適している光学要素輪（図示略）を有している。回折光学要素２１は、機械的に移動されて、各時間において、他の要素２１をレーザー装置４の前の位置に運ぶ。
【００４５】
同様に、各時間において、レーザービーム５を、図１１に示されているような様々なパターンを生成する他の光学要素６上に運ぶ光学要素２６を使用してレーザービーム５を移動することができる。
【００４６】
動的な効果を生成するために、例えば、アクティブビームを生成するための液晶に基づいた切換可能な光学要素６を使用することができる。このことは、図１２に示されている別個の光学要素６又は図１３に示されている組み込まれた光学要素６の何れかによって、なされることができる。
【００４７】
使用されることができる電気光学素子６は、空間光変調器、液晶ＧＲＩＮレンズ（ＧＲＩＮ：屈折率分布（Gradient Index））、回折レンズアレイを備える液晶セル、フォトニック結晶を備える液晶セル、ホログラムを備える液晶セル、エレクトロウェッティングレンズ／流体焦点、可動光学要素（例えば、ミラー）、グレーティング又は他の光学要素である。
【００４８】
照明装置１（ハイブリッドランプ）は、更に、様々なセンサ２７を備えていても良い。例えば、動きセンサ２７は、図１４において示されているように、人の存在又は動作に依存して背景照明に重ね合わされるパターンの照明のために使用されることができる。センサ２７は、背景照明に重ね合わされるパターンの製品依存の照明を生成するための製品形状／大きさセンサであり得る。センサ２７は、ＲＦＩＤセンサ（ＲＦＩＤ：無線周波数識別（Radio Frequency Identification））であっても良い。
【００４９】
このような照明装置１は、小売照明、アンビエントインテリジェント照明、看板（テキスト、数字等）、装飾照明のような、用途において使用されることができる。ＯＬＥＤ装置２又はＬＥＤ装置２'のみの場合、対象は、如何なる更なる情報を伴うことなく、照明されることができる。レーザー装置４１の使用は、輪郭及びパターンを導入することができる。
【００５０】
上述した図において、レーザー装置４は、単一又は複数のレーザー源を示している。これは、ＲＧＢカラーも有する。動的な効果を生成するために、能動要素を前記レーザーと組み合わせて使用することも可能である。レーザーのこれらの動的な効果は、ＬＥＤ装置２'及び／又はＯＬＥＤ装置２によって生成される動的な色及びパターンと組み合わせられることができる。
【００５１】
上述の全ての実施例において、照明装置１（ＯＬＥＤ-レーザー装置及びＬＥＤ-レーザー装置）は、動的な光の色及び光のパターンを生成するために対処されることができる。例えば、画素化された（pixilate）ＯＬＥＤは、アクティブマトリックスアドレス指定によって対処されることができる。ＬＥＤは、パルス幅変調によって対処されることができる。
【００５２】
本発明は、添付図面及び上述の記載において、詳細に説明及び記載されたが、このような図例及び説明は、説明的なもの又は例示的なものとみなされるべきであり、限定的なものとみなされるべきではなく、本発明は、開示されている実施例に限定されるものではない。
【００５３】
開示されている実施例に対する他の変化は、添付図面、本明細書及び添付請求項の熟慮により、添付請求項に記載の本発明を実施する際に当業者によって理解され、行われることができる。「有する」という語は、請求項に記載されていない構成要素又はステップの存在を排除するものではなく、単数形の構成要素は、複数のこのような構成要素を排除するものではない。特定の手段が、相互に異なる従属請求項において引用されているという単なる事実は、これらの手段の組み合わせが有利になるように使用されることができないと示すものではない。添付請求項における如何なる符号も、この範囲を制限するものとしてみなしてはならない。
【図１Ａ】
2012503274.tif 000003
【図１Ｂ】
2012503274.tif 000004
【図２Ａ】
2012503274.tif 000005
【図２Ｂ】
2012503274.tif 000006
【図２Ｃ】
2012503274.tif 000007
【図２Ｄ】
2012503274.tif 000008
【図２Ｅ】
2012503274.tif 000009
【図２Ｆ】
2012503274.tif 000010
【図３】
2012503274.tif 000011
【図４】
2012503274.tif 000012
【図５】
2012503274.tif 000013
【図６】
2012503274.tif 000014
【図７】
2012503274.tif 000015
【図８】
2012503274.tif 000016
【図９】
2012503274.tif 000017
【図１０】
2012503274.tif 000018
【図１１】
2012503274.tif 000019
【図１２】
2012503274.tif 000020
【図１３】
2012503274.tif 000021
【図１４】
2012503274.tif 000022
【国際調査報告】
2012503274.tif 000023
2012503274.tif 000024
2012503274.tif 000025